(57)【要約】【課題】  障害発生時も通話状態を継続させて運用することができる無線システムを提供する。【解決手段】  複数の無線通信の基地局と通信を行う通信部１５と、通信部を制御する第１方式の現用の制御部１１と、通信部を制御する第１方式の予備用の制御部１２と、通信部を制御する第２方式の現用の制御部１３と、通信部を制御する第２方式の予備用の制御部１４と、第１方式の現用の制御部および第２方式の現用の制御部から障害情報を受け、この障害情報に基づいて、第１方式の現用の制御部を第１方式の予備用の制御部に切換え、または、第２方式の現用の制御部を第２方式の予備用の制御部に切換えるコンソール部１０を有する無線システム。【選択図】図１
2012100001.tif 000002
【特許請求の範囲】
【請求項１】
複数の無線通信の基地局と通信を行う通信部と、
前記通信部を制御する第１方式の現用の制御部と、
前記通信部を制御する第１方式の予備用の制御部と、
前記通信部を制御する第２方式の現用の制御部と、
前記通信部を制御する第２方式の予備用の制御部と、
前記第１方式の現用の制御部および前記第２方式の現用の制御部から障害情報を受け、この障害情報に基づいて、前記第１方式の現用の制御部を前記第１方式の予備用の制御部に切換え、または、前記第２方式の現用の制御部を前記第２方式の予備用の制御部に切換えるコンソール部と、を具備することを特徴とする無線システム。
【発明の詳細な説明】
【技術分野】
【０００１】
この発明は、構内交換機等の構内無線システムに関し、特に、ＣＳ（Central Station）制御部が二重化されおよびＳＣＳ（Sub-Control Station）制御部が二重化された構内の無線システムに関する。
【背景技術】
【０００２】
従来の構内無線システムにおいては、コールドスタンバイ方式による二重化が知られている。このコールドスタンバイ方式による二重化とは、予備として用意されたシステムを動作させない状態で使用するシステムである。このようなコールドスタンバイ方式では、系切替えが必要とされる障害が発生した場合に、いったん、通話路が切断されるために音声が途切れてしまう。
【先行技術文献】
【特許文献】
【０００３】
【特許文献１】特開２０００−００４２９３号公報
【発明の概要】
【発明が解決しようとする課題】
【０００４】
すなわち、従来の構内無線システムによるコールドスタンバイ方式においては、予備として用意されたシステムを動作させない状態で待機するシステムであるため、いったん、系切替えが必要とされる障害が発生した場合、通話路が切断されるために音声が途切れてしまうという問題がある。
【０００５】
本発明は、障害発生時も通話状態を継続させて運用することができる無線システムを提供することを目的とする。
【課題を解決するための手段】
【０００６】
課題を解決するための一実施形態は、
複数の無線通信の基地局と通信を行う通信部と、
前記通信部を制御する第１方式の現用の制御部と、
前記通信部を制御する第１方式の予備用の制御部と、
前記通信部を制御する第２方式の現用の制御部と、
前記通信部を制御する第２方式の予備用の制御部と、
前記第１方式の現用の制御部および前記第２方式の現用の制御部から障害情報を受け、この障害情報に基づいて、前記第１方式の現用の制御部を前記第１方式の予備用の制御部に切換え、または、前記第２方式の現用の制御部を前記第２方式の予備用の制御部に切換えるコンソール部と、を具備することを特徴とする無線システムである。
【発明の効果】
【０００７】
上述した実施形態によれば、障害発生時に０／１系切替えおよび、Ａ／Ｂ系切替えを行うことで無線システムの通話状態を継続することができ、システムダウンも防ぐことができる。
【図面の簡単な説明】
【０００８】
【図１】本発明の一実施形態である無線システムの構造の一例を示す説明図。
【図２】同じく無線システムの現用系のＣＳ制御部の切換え動作を示すフローチャート。
【図３】同じく無線システムの予備系のＣＳ制御部の切換え動作を示すフローチャート。
【図４】同じく無線システムの現用系のＳＣＳ制御部の切換え動作を示すフローチャート。
【図５】同じく無線システムの予備系のＳＣＳ制御部の切換え動作を示すフローチャート。
【発明を実施するための形態】
【０００９】
以下、図面を参照して、本発明の一実施形態に係る無線システムの構造について、詳細に説明する。図１は、本発明の一実施形態である無線システムの構造の一例を示す説明図である。
本発明の一実施形態である無線システム１は、図１において、複数の制御部から障害情報を収集し、この障害情報に基づいて後述する各制御部を管理する管理コンソールＰＣ１０と、この管理コンソールＰＣ１０とＬＡＮ（Local Area Network）等で接続されている０系（現用系）であるＣＳ制御部１１と、１系（予備系）であるＣＳ制御部１１と、同様に、管理コンソールＰＣ１０とＬＡＮ等で接続されているＡ系（現用系）であるＳＣＳ制御部１３と、Ｂ系（予備系）であるＳＣＳ制御部１４と、これらＳＣＳ制御部１３，１４と光ケーブルで接続されている、複数の基地局２１、２２、…、２４と通信を行うＳＣＳ部１５と、このＳＣＳ部１５の一部であって光通信でＳＣＳ制御部１３と通信を行うＡ系の光送受信部１６と、このＳＣＳ部１５の一部であって光通信でＳＣＳ制御部１４と通信を行うＢ系の光送受信部１７を有している。
【００１０】
このような無線システム１においては、システム起動時は、０系のＣＳ制御部１１が現用系、１系のＣＳ制御部１２が予備系で動作し、Ａ系のＳＣＳ制御部１３が現用系、Ｂ系のＳＣＳ制御部１４が予備系で動作する。そして、ＣＳ制御部１１，１２、ＳＣＳ制御部１３，１４共に、現用系から予備系へホットスタンバイ状態で待機するために、０系／１系（図１の（１））および、Ａ系／Ｂ系（図１の（２））の制御部間で、通話状態情報などの転送処理を行っている。
【００１１】
管理コンソールＰＣ１０は、図１の（３）および（４）に示すように、ＣＳ制御部１１，１２から障害情報を取得し、また、図１の（５）および（６）に示すように、ＳＣＳ制御部１３，１４から障害情報を取得し、管理コンソールＰＣ１０は、この取得した障害情報を管理する。
【００１２】
次に、図２の無線システムのＣＳ制御部現用系の切換え動作を示すフローチャートを用いて、現用系のＣＳ制御部１１の系切替え動作を説明する。ＣＳ制御部１１は、格納しているソフトウエアにより、起動時に自系が現用系であるか予備系であるかの判定を行う（ステップＳ１１）。そして、現用系であれば、自系の障害監視および予備系の障害監視を行う（ステップＳ１２）。
【００１３】
ＣＳ制御部１１は、予備系の障害をソフトウエアにより検出すると（ステップＳ１２）、予備系の障害情報を更新する（ステップＳ１３）。ＣＳ制御部１１は、さらに、自系の障害監視を行う（ステップＳ１４）。ＣＳ制御部１１は、自系の障害をソフトウエアにより検出した場合（ステップＳ１４）、障害要因判定により、０／１系切替えおよびＡ／Ｂ系切替えを行うかの判定を行う（ステップＳ１７，ステップＳ２１）。ＣＳ制御部１１は、判定に従い、予備系に系切換えの指示を行った後（ステップＳ１８）、自己リセットする（ステップＳ１９）。または、ＳＣＳ部へ、Ａ／Ｂ系切替え指示を行う（ステップＳ２２）。
【００１４】
ここで、ＣＳ制御部１１は、障害要因別判定処理に対して、自系障害要因および予備系障害情報により判定を行う。自系障害要因は、運用可能障害（軽障害）、運用不可障害（重障害）に分類される。
また、軽障害、重障害でそれぞれ優先順位を設けることで、運用状態によっては、系切替え（１／０系切替え、Ａ／Ｂ系切替え）を行わない。例えば、第１基地局〜第４基地局の優先度が高く、第５基地局〜第８基地局の優先度が低いシステムにおいて、Ａ系（現用系）のＳＣＳ制御部１３で自系の基地局４〜８の障害を検出し、Ｂ系（予備系）のＳＣＳ制御部１４で自系の第１基地局〜第３基地局の障害を検出した場合に、現用系の方が故障箇所が多いため、通常Ａ／Ｂ系切替えを行うところ、優先順位の高い基地局の数は、現用系の方が多いのでＡ／Ｂ系切替えは行わず、Ａ系のＳＣＳ制御部が現用系として運用を継続する。
【００１５】
なお、現用系（０系）のＣＳ制御部が自系の障害を検出し、障害要因別判定処理で０／１系切替えおよび、Ａ／Ｂ系切替えの判断ができない場合は（ステップＳ１６）、管理コンソールＰＣ１０へ問い合わせることで判断する（ステップＳ１５）。また、管理コンソールＰＣ１０に問い合わせた結果、系切替えを行わない場合は、オペレータによる手動切替えが可能である。
【００１６】
このように、本発明の一実施形態である無線システムにおいては、現用系のＣＳ制御部１１において、ホットスタンバイ状態において、現用系のＣＳ制御部１１と予備系のＣＳ制御部１２が用意されており、適宜、管理コンソールＰＣ１０の管理下において、０系／１系の切り替えを行うことで、障害発生時も通話状態を継続させて運用することができる。
【００１７】
次に、図３の無線システムのＣＳ制御部予備系の切換え動作を示すフローチャートを用いて、予備系のＣＳ制御部１１の系切替え動作を説明する。ＣＳ制御部１２は、起動時にソフトウエアにより、自系が現用系であるか予備系であるかの判定を行う（ステップＳ３１）。ＣＳ制御部１２は、予備系であれば自系の障害監視および現用系の障害監視を行う（ステップＳ３２）。ＣＳ制御部１２は、自系の障害をソフトウエアにより検出した場合、自系の障害情報の更新を行う（ステップＳ３３）。自系障害要因は、運用可能障害（軽障害）、運用不可障害（重障害）に分類される。ＣＳ制御部１２は、ＣＳ制御部予備系で自系の軽障害を検出した場合は（ステップＳ３３）、自系の障害情報の更新を行い、運用を継続する。ただし、ＣＳ制御部１２は、重障害の場合は自己リセットして、障害復旧を試みる（ステップＳ４０）。
【００１８】
予備系（１系）のＣＳ制御部１２が現用系（０系）のＣＳ制御部１１の障害を検出した場合、障害要因別判定処理にて、０／１系切替えを行うか判断する（ステップＳ３１）。予備系（１系）のＣＳ制御部１２が、障害要因別判定処理で０／１系切替えの判断ができない場合は（ステップＳ３６）、管理コンソールへ問い合わせることで判断する（ステップＳ３７）。なお、管理コンソールＰＣ１０に問い合わせた結果、系切替えを行わない場合は、予備系として運用を継続する。ＣＳ制御部１２が０／１系切り替えと判断すれば（ステップＳ３８）、自系現用系の切替え処理を行う（ステップＳ３９）。
【００１９】
このように、本発明の一実施形態である無線システムにおいては、予備系のＣＳ制御部１２においても、ホットスタンバイ状態において、現用系のＣＳ制御部１１と予備系のＣＳ制御部１２が用意されており、適宜、管理コンソールＰＣ１０の管理下において、０系／１系の切り替えを行うことで、障害発生時も通話状態を継続させて運用することができる。
【００２０】
次に、図４の無線システムのＳＣＳ制御部現用系の切換え動作を示すフローチャートを用いて、現用系のＳＣＳ制御部１３の系切替え動作を説明する。ＳＣＳ制御部１３は、格納しているソフトウエアにより、起動時に自系が現用系であるか予備系であるかの判定を行う（ステップＳ４１）。そして、現用系であれば、自系の障害監視および予備系の障害監視を行う（ステップＳ４２）。
【００２１】
ＳＣＳ制御部１３は、予備系の障害をソフトウエアにより検出すると（ステップＳ４２）、予備系の障害情報を更新する（ステップＳ４３）。ＳＣＳ制御部１３は、さらに、自系の障害監視を行う（ステップＳ４４）。ＳＣＳ制御部１３は、自系の障害をソフトウエアにより検出した場合（ステップＳ４４）、障害要因判定により、Ａ／Ｂ系切替えを行うかの判定を行う（ステップＳ４７）。または、ＳＣＳ制御部１４へＡ／Ｂ系切替え指示を行う（ステップＳ４８）。
【００２２】
なお、現用系（０系）のＳＣＳ制御部１３が自系の障害を検出し、障害要因別判定処理で０／１系切替えおよび、Ａ／Ｂ系切替えの判断ができない場合は（ステップＳ４５）、管理コンソールＰＣ１０へ問い合わせることで判断する（ステップＳ４６）。また、管理コンソールＰＣ１０に問い合わせた結果、系切替えを行わない場合は、オペレータによる手動切替えが可能である。
【００２３】
このように、本発明の一実施形態である無線システムにおいては、現用系のＳＣＳ制御部１３においても、ホットスタンバイ状態において、現用系のＳＣＳ制御部１３と予備系のＳＣＳ制御部１４とが用意されており、適宜、管理コンソールＰＣ１０の管理下において、Ａ系／Ｂ系の切り替えを行うことで、障害発生時も通話状態を継続させて運用することができる。
【００２４】
次に、図５の無線システムのＳＣＳ制御部予備系の切換え動作を示すフローチャートを用いて、予備系のＳＣＳ制御部１４の系切替え動作を説明する。ＳＣＳ制御部１４は、起動時にソフトウエアにより、自系が現用系であるか予備系であるかの判定を行う（ステップＳ５１）。ＳＣＳ制御部１４は、予備系であれば自系の障害監視および現用系の障害監視を行う（ステップＳ５２）。ＳＣＳ制御部１４は、自系の障害をソフトウエアにより検出した場合、自系の障害情報の更新を行う（ステップＳ５３）。自系障害要因は、運用可能障害（軽障害）、運用不可障害（重障害）に分類される。ＳＣＳ制御部１４は、ＣＳ制御部予備系で自系の軽障害を検出した場合は（ステップＳ５２）、自系の障害情報の更新を行い（ステップＳ５４）、運用を継続する。ただし、ＳＣＳ制御部１４は、重障害の場合は自己リセットして、障害復旧を試みる（ステップＳ６０）。
【００２５】
予備系（１系）のＳＣＳ制御部１４が現用系（０系）のＳＣＳ制御部１３の障害を検出した場合（ステップＳ５５）、障害要因別判定処理を行い（ステップＳ５６）、Ａ／Ｂ系切替えを行うか判断する（ステップＳ５８）。予備系（１系）のＳＣＳ制御部１４が、障害要因別判定処理で０／１系切替えの判断ができない場合は（ステップＳ５６）、管理コンソールへ問い合わせることで判断する（ステップＳ５７）。なお、管理コンソールＰＣ１０に問い合わせた結果、系切替えを行わない場合は、予備系として運用を継続する。ＳＣＳ制御部１４がＡ／Ｂ系切り替えと判断すれば（ステップＳ５８）、自系現用系の切替え処理を行う（ステップＳ５９）。
【００２６】
このように、本発明の一実施形態である無線システムにおいては、予備系のＳＣＳ制御部１４においても、ホットスタンバイ状態において、現用系のＳＣＳ制御部１３と予備系のＳＣＳ制御部１４とが用意されており、適宜、管理コンソールＰＣ１０の管理下において、Ａ系／Ｂ系の切り替えを行うことで、障害発生時も通話状態を継続させて運用することができる。
【００２７】
なお、この発明は上記実施形態に限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００２８】
１…、１０…管理コンソールパーソナルコンピュータ、１１…ＣＳ制御部、１２…ＣＳ制御部、１３…ＳＣＳ制御部、１４…ＳＣＳ制御部、１５…ＳＣＳ部、１６…光送受信部、１７…光送受信部、２１〜２４…基地局、Ｋ…携帯電話機。
【図１】
2012100001.tif 000003
【図２】
2012100001.tif 000004
【図３】
2012100001.tif 000005
【図４】
2012100001.tif 000006
【図５】
2012100001.tif 000007